(57)【要約】【課題】サムネイルグループのグループコメントの入力操作を行わなくても、サムネイルグループ毎にグループコメントを容易に作成できること。【解決手段】被検体の体内画像群を表示し、該体内画像群の中から選択した体内画像に対応するサムネイル画像を追加表示する表示部１２と、複数の前記サムネイル画像を含むサムネイルグループを作成するグループ化処理部１６ｂと、前記サムネイル画像に関するサムネイルコメントを入力する入力部１１と、前記サムネイル画像に対して前記サムネイルコメントを付加するコメント処理部１６ｃと、を備える。コメント処理部１６ｃは、グループ化処理部１６ｂが前記サムネイルグループを作成する都度、前記サムネイルグループに含まれる複数のサムネイル画像に関する複数のサムネイルコメントを結合して前記サムネイルグループに関するグループコメントを作成する。【選択図】        図２
2008119146.tif 000002
【特許請求の範囲】
【請求項１】
被検体内を時系列に沿って撮像した一連の体内画像を表示し、該一連の体内画像の中から選択した体内画像に対応するサムネイル画像を追加表示する表示手段と、
複数の前記サムネイル画像を含むサムネイルグループを作成するグループ作成手段と、
前記サムネイル画像に関するサムネイルコメントを入力する入力手段と、
前記サムネイル画像に対して前記サムネイルコメントを付加し、前記グループ作成手段が前記サムネイルグループを作成する都度、前記サムネイルグループに含まれる複数のサムネイル画像に関する複数のサムネイルコメントを結合して前記サムネイルグループに関するグループコメントを作成するコメント処理手段と、
を備えたことを特徴とする画像表示装置。
【請求項２】
前記グループ作成手段は、前記サムネイルグループから１以上のサムネイル画像を除外して、前記サムネイルグループを別のサムネイルグループに変更し、
前記コメント処理手段は、前記サムネイルグループに関するグループコメントから前記１以上のサムネイル画像に関する１以上のサムネイルコメントを削除して、前記別のサムネイルグループに関するグループコメントを作成し、且つ、前記１以上のサムネイルコメントを前記１以上のサムネイル画像に対してそれぞれ付加することを特徴とする請求項１に記載の画像表示装置。
【請求項３】
前記グループ作成手段は、前記サムネイルグループから複数のサムネイル画像を除外して、前記サムネイルグループを前記別のサムネイルグループに変更するとともに、前記サムネイルグループから除外した複数のサムネイル画像を含む新規サムネイルグループを作成し、
前記コメント処理手段は、前記新規サムネイルグループ内の複数のサムネイル画像に関する複数のサムネイルコメントを前記サムネイルグループに関するグループコメントから削除して、前記別のサムネイルグループに関するグループコメントを作成し、且つ、前記複数のサムネイルコメントを結合して、前記新規サムネイルグループに関するグループコメントを作成することを特徴とする請求項２に記載の画像表示装置。
【請求項４】
前記グループ作成手段は、複数のサムネイル画像を含む１つのサムネイルグループと１以上のサムネイル画像とを複合して前記サムネイルグループを作成し、
前記コメント処理手段は、前記１つのサムネイルグループに関するグループコメントと前記１以上のサムネイル画像に関する１以上のサムネイルコメントとを結合して、前記サムネイルグループに関するグループコメントを作成することを特徴とする請求項１〜３のいずれか一つに記載の画像表示装置。
【請求項５】
前記グループ作成手段は、複数のサムネイルグループを複合して前記サムネイルグループを作成し、
前記コメント処理手段は、前記複数のサムネイルグループに関する複数のグループコメントを結合して、前記サムネイルグループに関するグループコメントを作成することを特徴とする請求項１〜３のいずれか一つに記載の画像表示装置。
【請求項６】
前記コメント処理手段は、前記複数のサムネイルコメントのそれぞれを区別可能な状態で前記複数のサムネイルコメントを結合して前記サムネイルグループに関するグループコメントを作成することを特徴とする請求項１〜５のいずれか一つに記載の画像表示装置。
【請求項７】
前記サムネイルグループと前記サムネイルグループに関するグループコメントとを掲載した前記被検体の診断レポートを作成するレポート作成手段を備えたことを特徴とする請求項１〜６のいずれか一つに記載の画像表示装置。
【発明の詳細な説明】
【技術分野】
【０００１】
本発明は、時系列に沿って撮像した被検体内の一連の画像を表示する画像表示装置に関するものである。
【背景技術】
【０００２】
近年、内視鏡の分野において、撮像機能と無線通信機能とを備えたカプセル型内視鏡が登場している。カプセル型内視鏡は、観察（検査）のために患者等の被検体の口から飲込まれた後、この被検体から自然排出されるまでの間、胃や小腸等の臓器の内部を蠕動運動等によって移動しつつ、この被検体の臓器内部の画像（以下、体内画像という場合がある）を所定間隔で順次撮像する。そして、カプセル型内視鏡は、この被検体が携帯する受信装置に対して体内画像を順次無線送信する（特許文献１参照）。
【０００３】
かかるカプセル型内視鏡によって無線送信された体内画像は、この被検体が携帯する受信装置によって順次受信され、この受信装置の記憶媒体内に順次蓄積される。その後、この被検体の体内画像群を記憶した記憶媒体は、この受信装置から取り外され、画像表示装置に挿着される。画像表示装置は、この記憶媒体を媒介して被検体の体内画像群を取得し、かかる被検体の体内画像群をディスプレイ上に表示する。医師または看護師等のユーザにおいては、かかる画像表示装置に表示させた体内画像を観察して、この被検体の診断を行う。
【０００４】
このような画像表示装置は、ディスプレイ上に表示した体内画像群の中からユーザが所望の体内画像を選択した場合、この選択した所望の体内画像に対応するサムネイル画像を追加表示する。また、ユーザがサムネイル画像に関する所望のコメント（以下、サムネイルコメントという）を入力する入力操作を行った場合、画像表示装置は、この入力操作によって入力されたサムネイルコメントをこのサムネイル画像に付加する。このような処理を繰り返すことによって、画像表示装置は、複数のサムネイル画像の各々に所望のサムネイルコメントを付加することができる。
【０００５】
なお、かかるサムネイルコメントは、例えば、このサムネイル画像に対応する体内画像（すなわち、ディスプレイ上に表示した体内画像群の中からユーザが選択した所望の体内画像）の選択理由等を示すものである。ユーザは、かかるサムネイルコメントを視認することによって、サムネイル画像に対応する体内画像が如何なる画像であるかを容易に確認できる。
【０００６】
また、このような画像表示装置は、これら複数のサムネイル画像をグループ化するグループ化処理機能を有する。この場合、画像表示装置は、これら複数のサムネイル画像の中からユーザが選択した所望のサムネイル画像群を含むグループ（以下、サムネイルグループという）を作成する。なお、かかるサムネイルグループは、例えば、サムネイルコメントの内容（上述した体内画像の選択理由等）が互いに同類であるサムネイル画像の集合体である。
【０００７】
【特許文献１】特開２００３−１９１１１号公報
【発明の開示】
【発明が解決しようとする課題】
【０００８】
しかしながら、上述した従来の画像表示装置は、サムネイルグループに関する所望のコメント（以下、グループコメントという）の入力操作をユーザが行わなければ、サムネイルグループに対してグループコメントを付加することができない。このため、従来の画像表示装置がサムネイルグループを作成する都度、ユーザは、たとえサムネイルグループ内の各サムネイル画像のサムネイルコメントと略同様のグループコメントであって、サムネイルグループ毎にグループコメントの入力操作を繰り返し行われなければならず、これに起因して、サムネイルグループに関するグループコメントを作成する際の操作が煩雑化するという問題点があった。
【０００９】
本発明は、上記事情に鑑みてなされたものであって、サムネイルグループに関するグループコメントの入力操作を行わなくても、サムネイルグループ毎にグループコメントを容易に作成することができる画像表示装置を提供することを目的とする。
【課題を解決するための手段】
【００１０】
上述した課題を解決し、目的を達成するために、本発明にかかる画像表示装置は、被検体内を時系列に沿って撮像した一連の体内画像を表示し、該一連の体内画像の中から選択した体内画像に対応するサムネイル画像を追加表示する表示手段と、複数の前記サムネイル画像を含むサムネイルグループを作成するグループ作成手段と、前記サムネイル画像に関するサムネイルコメントを入力する入力手段と、前記サムネイル画像に対して前記サムネイルコメントを付加し、前記グループ作成手段が前記サムネイルグループを作成する都度、前記サムネイルグループに含まれる複数のサムネイル画像に関する複数のサムネイルコメントを結合して前記サムネイルグループに関するグループコメントを作成するコメント処理手段と、を備えたことを特徴とする。
【００１１】
また、本発明にかかる画像表示装置は、上記の発明において、前記グループ作成手段は、前記サムネイルグループから１以上のサムネイル画像を除外して、前記サムネイルグループを別のサムネイルグループに変更し、前記コメント処理手段は、前記サムネイルグループに関するグループコメントから前記１以上のサムネイル画像に関する１以上のサムネイルコメントを削除して、前記別のサムネイルグループに関するグループコメントを作成し、且つ、前記１以上のサムネイルコメントを前記１以上のサムネイル画像に対してそれぞれ付加することを特徴とする。
【００１２】
また、本発明にかかる画像表示装置は、上記の発明において、前記グループ作成手段は、前記サムネイルグループから複数のサムネイル画像を除外して、前記サムネイルグループを前記別のサムネイルグループに変更するとともに、前記サムネイルグループから除外した複数のサムネイル画像を含む新規サムネイルグループを作成し、前記コメント処理手段は、前記新規サムネイルグループ内の複数のサムネイル画像に関する複数のサムネイルコメントを前記サムネイルグループに関するグループコメントから削除して、前記別のサムネイルグループに関するグループコメントを作成し、且つ、前記複数のサムネイルコメントを結合して、前記新規サムネイルグループに関するグループコメントを作成することを特徴とする。
【００１３】
また、本発明にかかる画像表示装置は、上記の発明において、前記グループ作成手段は、複数のサムネイル画像を含む１つのサムネイルグループと１以上のサムネイル画像とを複合して前記サムネイルグループを作成し、前記コメント処理手段は、前記１つのサムネイルグループに関するグループコメントと前記１以上のサムネイル画像に関する１以上のサムネイルコメントとを結合して、前記サムネイルグループに関するグループコメントを作成することを特徴とする。
【００１４】
また、本発明にかかる画像表示装置は、上記の発明において、前記グループ作成手段は、複数のサムネイルグループを複合して前記サムネイルグループを作成し、前記コメント処理手段は、前記複数のサムネイルグループに関する複数のグループコメントを結合して、前記サムネイルグループに関するグループコメントを作成することを特徴とする。
【００１５】
また、本発明にかかる画像表示装置は、上記の発明において、前記コメント処理手段は、前記複数のサムネイルコメントのそれぞれを区別可能な状態で前記複数のサムネイルコメントを結合して前記サムネイルグループに関するグループコメントを作成することを特徴とする。
【００１６】
また、本発明にかかる画像表示装置は、上記の発明において、前記サムネイルグループと前記サムネイルグループに関するグループコメントとを掲載した前記被検体の診断レポートを作成するレポート作成手段を備えたことを特徴とする。
【発明の効果】
【００１７】
本発明にかかる画像表示装置によれば、複数のサムネイル画像をグループ化したサムネイルグループを作成した場合に、このサムネイルグループに含まれる複数のサムネイル画像の各サムネイルコメントを結合して、このサムネイルグループのグループコメントを作成するため、ユーザがグループコメントの入力操作を行わなくとも、サムネイルグループを作成する都度、サムネイルグループに含まれる複数のサムネイル画像の各コメントを活用して自動的にグループコメントを作成することができる。この結果、ユーザによるマニュアル操作の煩雑さを軽減できるとともに、サムネイルグループ毎にグループコメントを容易に作成できるという効果を奏する。
【発明を実施するための最良の形態】
【００１８】
以下、図面を参照して、本発明にかかる画像表示装置の好適な実施の形態を詳細に説明する。なお、この実施の形態によってこの発明が限定されるものではない。
【００１９】
図１は、本発明の実施の形態にかかる画像表示装置を有する被検体内情報取得システムの一構成例を示す模式図である。図１に示すように、この被検体内情報取得システムは、被検体１の体内画像群を撮像するカプセル型内視鏡２と、このカプセル型内視鏡２から被検体１の体内画像群を受信する受信装置３と、受信装置３が受信した被検体１の体内画像群（すなわちカプセル型内視鏡２が撮像した体内画像群）を表示する画像表示装置４と、かかる受信装置３と画像表示装置４との間のデータの受け渡しを行うための携帯型記録媒体５とを備える。
【００２０】
カプセル型内視鏡２は、被検体１の体内画像群を撮像するためのものであり、被検体１の臓器内部に導入可能なカプセル型筐体の内部に撮像機能と無線通信機能とを有する。具体的には、カプセル型内視鏡２は、被検体１の口から飲込まれた後、臓器の蠕動運動等によって被検体１の臓器内部を移動しつつ、所定の間隔（例えば０．５秒間隔）で体内画像を順次撮像する。そして、カプセル型内視鏡２は、被検体１の体内画像を含む画像信号を外部の受信装置３に対して順次無線送信する。
【００２１】
受信装置３は、かかるカプセル型内視鏡２が撮像した被検体１の体内画像群を受信するためのものである。具体的には、受信装置３は、複数の受信アンテナ３ａ〜３ｈを有し、かかるカプセル型内視鏡２を臓器内部に導入する被検体１に装着（携帯）される。このような受信装置３は、受信アンテナ３ａ〜３ｈを介して、被検体１の臓器内部のカプセル型内視鏡２が無線送信した画像信号を順次受信して、このカプセル型内視鏡２が撮像した体内画像群を取得する。また、受信装置３は、携帯型記録媒体５を有し、かかるカプセル型内視鏡２から受信した被検体１の体内画像群をこの携帯型記録媒体５に格納する。
【００２２】
受信アンテナ３ａ〜３ｈは、例えば被検体１の臓器内部に導入されたカプセル型内視鏡２の移動経路（すなわち被検体１の消化管）に沿って被検体１の体表上に分散配置され、上述した受信装置３に接続される。かかる受信アンテナ３ａ〜３ｈは、被検体１の臓器内部のカプセル型内視鏡２が順次無線送信した画像信号を捕捉し、この補足した画像信号を受信装置３に対して順次送出する。なお、受信アンテナ３ａ〜３ｈは、被検体１に着用させるジャケット等に分散配置されてもよい。また、かかるカプセル型内視鏡２からの画像信号を捕捉する受信アンテナは、被検体１に対して１以上配置されればよく、その配置数は、特に８つに限定されない。
【００２３】
画像表示装置４は、携帯型記録媒体５を介して被検体１の体内画像群等の各種データを取得し、この取得した各種データをディスプレイ上に表示するワークステーション等のような構成を有する。このような画像表示装置４は、携帯型記録媒体５を介して取得した被検体１の体内画像群等を表示する。医師または看護師等のユーザは、かかる画像表示装置４が表示した被検体１の体内画像群を観察（検査）することによって、被検体１を診断する。また、画像表示装置４は、かかる被検体１の診断結果等を示す診断レポートを作成するレポート作成機能を有し、この作成した診断レポートをディスプレイ上に表示する。
【００２４】
携帯型記録媒体５は、可搬型の記録媒体であり、上述した受信装置３と画像表示装置４との間のデータの受け渡しを行うためのものである。具体的には、携帯型記録媒体５は、受信装置３および画像表示装置４に対して着脱可能であって、両者に対する挿着時にデータの出力および記録が可能な構造を有する。このような携帯型記録媒体５は、受信装置３に挿着された場合、受信装置３がカプセル型内視鏡２から受信した被検体１の体内画像群等を記録し、画像表示装置４に挿着された場合、被検体１の体内画像群等の記録データを画像表示装置４に送出する。
【００２５】
なお、かかる携帯型記録媒体５が記録する各種データは、例えば、被検体１の体内画像群、これら体内画像群に含まれる各体内画像の時間情報（撮像時刻、受信時刻等）、被検体１の患者情報、被検体１の検査情報等である。ここで、被検体１の患者情報は、被検体１を特定する特定情報であり、例えば、被検体１の患者名、患者ＩＤ、生年月日、性別、年齢等である。また、被検体１の検査情報は、被検体１に対して実施されるカプセル型内視鏡検査（臓器内部にカプセル型内視鏡２を導入して臓器内部を観察するための検査）を特定する特定情報であり、例えば、検査ＩＤ、検査日等である。
【００２６】
つぎに、本発明の実施の形態にかかる画像表示装置４の構成について説明する。図２は、本発明の実施の形態にかかる画像表示装置の一構成例を模式的に示すブロック図である。図２に示すように、この実施の形態にかかる画像表示装置４は、各種情報を入力する入力部１１と、被検体１の体内画像群等を表示する表示部１２と、携帯型記録媒体５に格納された各種データを取り込むためのカードインターフェース（Ｉ／Ｆ）１３とを有する。また、画像表示装置４は、被検体１の診断レポート等を出力する出力部１４と、被検体１の体内画像群等の各種データを記憶する記憶部１５と、かかる画像表示装置４の各構成部を制御する制御部１６とを有する。
【００２７】
入力部１１は、キーボードおよびマウス等の入力デバイスを用いて実現される。入力部１１は、ユーザが行う入力操作に応じて、制御部１６に各種情報を入力する。かかる入力部１１が制御部１６に入力する各種情報は、例えば、制御部１６に対して指示する指示情報、被検体１の患者情報、被検体１の検査情報、表示部１２に表示されたサムネイル画像に関するサムネイルコメント等である。
【００２８】
表示部１２は、ＣＲＴディスプレイまたは液晶ディスプレイ等の各種ディスプレイを用いて実現され、制御部１６によって表示指示された各種情報を表示する。具体的には、表示部１２は、上述したカプセル型内視鏡２が撮像した被検体１の体内画像群、これら体内画像群の中からユーザが選択した所望の体内画像を簡易に視覚化した縮小画像（例えばサムネイル画像）、被検体１の患者情報、被検体１の検査情報、被検体１の診断レポート等を表示する。
【００２９】
カードＩ／Ｆ１３は、上述した携帯型記録媒体５が着脱可能に挿着され、この挿着された携帯型記録媒体５と制御部１６との間のデータの入出力を行う。具体的には、カードＩ／Ｆ１３は、この挿着された携帯型記録媒体５の記録データ（例えば被検体１の体内画像群、各体内画像の時間情報、被検体１の患者情報および検査情報等）を携帯型記録媒体５から読み込み、この読み込んだ記録データを制御部１６に送出する。また、カードＩ／Ｆ１３は、制御部１６が携帯型記録媒体５に書き込むよう指示した各種データ（例えば被検体１の患者情報および検査情報等）を携帯型記録媒体５に書き込む。
【００３０】
出力部１４は、例えばプリンタ等を用いて実現され、制御部１６が出力指示した各種データを紙等の媒体に印刷して出力する。具体的には、出力部１４は、被検体１の体内画像や診断レポート等の各種データを紙等の媒体に印刷し、かかる各種データを印刷した媒体を出力する。
【００３１】
記憶部１５は、ＲＡＭ、ＥＥＰＲＯＭ、フラッシュメモリ、またはハードディスク等の書き換え可能にデータを保存する各種記憶メディアを用いて実現される。記憶部１５は、制御部１６が記憶指示した各種データを記憶し、記憶した各種データの中から制御部１６が読み出し指示したデータを制御部１６に送出する。このような記憶部１６は、複数の被検体の症例データ群１５ａを記憶する。この症例データ群１５ａに含まれる１つ被検体（例えば上述した被検体１）の症例データは、この被検体の体内画像群、患者情報、検査情報、各体内画像の時間情報、診断レポート情報等を含む。
【００３２】
なお、記憶部１５は、フレキシブルディスク（ＦＤ）、コンパクトディスク（ＣＤ）、またはＤＶＤ（Digital Versatile Disk）等の携帯型記録媒体を着脱可能に挿着でき、挿着された携帯型記録媒体に対して各種データの読取処理または書込処理を行うドライブ等を用いて実現されてもよい。
【００３３】
制御部１６は、画像表示装置４の各構成部（入力部１１、表示部１２、カードＩ／Ｆ１３、出力部１４、および記憶部１５を制御し、かかる各構成部間における信号の入出力を制御する。具体的には、制御部１６は、カードＩ／Ｆ１３を制御して携帯型記録媒体５の記録データを取得し、この取得した記録データを症例データ群１５ａの一部として記憶するよう記憶部１５を制御する。制御部１６は、入力部１１によって入力された指示情報に基づいて、症例データ群１５ａの中から所望の被検体の症例データを読み出し、この読み出した症例データに含まれる被検体の体内画像群等を表示するよう表示部１２を制御する。また、制御部１６は、入力部１１によって入力された指示情報に基づいて、被検体の体内画像または診断レポート等のデータを出力するよう出力部１４を制御する。
【００３４】
また、制御部１６は、表示制御部１６ａ、グループ化処理部１６ｂ、コメント処理部１６ｃ、およびレポート処理部１６ｄを有する。表示制御部１６ａは、被検体を診断するための各種ＧＵＩ（Graphical  User  Interface）を表示するよう表示部１２を制御する。また、表示制御部１６ａは、入力部１１によって入力された指示情報に基づいて各種データを表示するよう表示部１２を制御する。かかる表示制御部１６ａの制御によって表示部１２が表示する各種データとして、例えば、入力部１１によって入力された各種情報、症例データ群１５ａの中から選択された被検体１の体内画像群、これら体内画像群の中から選択された１以上の体内画像に対応する１以上のサムネイル画像、かかるサムネイル画像に関するサムネイルコメント、複数のサムネイル画像によって形成される１以上のサムネイルグループ、かかるサムネイルグループに関するグループコメント、この被検体１の診断レポート等が挙げられる。
【００３５】
グループ化処理部１６ｂは、複数のサムネイル画像を含むサムネイルグループを作成するグループ作成手段として機能する。かかるグループ化処理部１６ｂは、入力部１１によって入力された指示情報に基づいて複数のサムネイル画像をグループ化し、複数のサムネイル画像を含む１以上のサムネイルグループを作成する。
【００３６】
また、グループ化処理部１６ｂは、入力部１１の指示情報に基づいて、かかるサムネイルグループを解除するグループ解除機能を有する。かかるグループ化処理部１６ｂは、ユーザによって解除指定されたサムネイルグループの中から、ユーザが指定した１以上のサムネイル画像を除外して、この解除指定されたサムネイルグループを解除する。この場合、グループ化処理部１６ｂは、この解除指定されたサムネイルグループから１以上のサムネイル画像を除外して、この解除指定されたサムネイルグループを別のサムネイルグループに変更する。または、グループ化処理部１６ｂは、この解除指定されたサムネイルグループから複数のサムネイル画像を除外して、この解除指定されたサムネイルグループを別のサムネイルグループに変更するとともに、これら複数のサムネイル画像（この解除指定されたサムネイルグループから除外したもの）を含む新規サムネイルグループを作成する。
【００３７】
コメント処理部１６ｃは、かかるグループ化処理部１６ｂが作成したサムネイルグループに関するグループコメントを作成するコメント処理手段として機能する。具体的には、コメント処理部１６ｃは、表示部１２に表示されたサムネイル画像の中からユーザが所望のサムネイル画像を選択（指定）した状態において、入力部１１によって入力されたサムネイルコメントをこのユーザ指定のサムネイル画像に付加する。このような処理を繰り返し行って、コメント処理部１６ｃは、１以上のサムネイルコメントと１以上のサムネイル画像とをそれぞれ一意的に対応付ける。このようなコメント処理部１６ｃは、上述したグループ化処理部１６ｂがサムネイルグループを作成した場合、このサムネイルグループに含まれる複数のサムネイル画像にそれぞれ対応する複数のサムネイルコメントを結合して、このサムネイルグループに関するグループコメントを作成する。
【００３８】
また、コメント処理部１６ｃは、グループ化処理部１６ｂが解除指定のサムネイルグループから１以上のサムネイル画像を除外してこの解除指定のサムネイルグループを解除した場合、この解除指定のサムネイルグループに関するグループコメントの中から、この除外した１以上のサムネイル画像に関するサムネイルコメントを削除する。これによって、コメント処理部１６ｃは、この解除指定されたサムネイルグループのグループコメントを別のサムネイルグループのグループコメントに変更する。また、コメント処理部１６ｃは、この解除指定のサムネイルグループから除外された１以上のサムネイル画像に対し、この解除指定のサムネイルグループのグループコメントから削除した１以上のサムネイルコメントを付加する。あるいは、コメント処理部１６ｃは、この解除指定のサムネイルグループから除外された複数のサムネイル画像の各サムネイルコメントを結合して、これら複数のサムネイル画像を含む新規サムネイルグループに関するグループコメントを作成する。
【００３９】
レポート処理部１６ｄは、症例データ群１５ａの中から選択された被検体１の症例データ等をもとに、この被検体１の診断レポートを作成するレポート作成手段として機能する。かかるレポート処理手段１６ｄは、例えば、上述したグループ化処理部１６ｂが作成したサムネイルグループ、このサムネイルグループに関するグループコメント（上述したコメント処理部１６ｃが作成したもの）、被検体１の患者情報等を掲載した診断レポートを作成する。この場合、かかるグループコメントは、このサムネイルグループに含まれる複数のサムネイル画像に対応する被検体１の体内画像群を観察した結果（ユーザによる所見等）として診断レポートに掲載される。
【００４０】
つぎに、上述したグループコメントを作成するコメント処理部１６ｃの処理手順について説明する。図３は、グループコメントを作成する際のコメント処理部１６ｃの処理手順を例示するフローチャートである。コメント処理部１６ｃは、上述したように、入力部１１によって入力された１以上のサムネイルコメントとユーザ指定の１以上のサムネイル画像とをそれぞれ一意的に対応付け、複数のサムネイル画像のそれぞれに対応付けた複数のサムネイルコメントを用いてグループコメントを作成する。
【００４１】
すなわち、図３に示すように、コメント処理部１６ｃは、表示部１２に表示されたサムネイル画像の中からユーザが指定した１以上のサムネイル画像を選択する（ステップＳ１０１）。この場合、コメント処理部１６ｃは、入力部１１によって入力された指示情報に基づいて、かかるユーザ指定のサムネイル画像を１以上選択する。なお、かかる１以上のサムネイル画像は、サムネイルグループを作成するためにユーザが指定したサムネイル画像であり、または、既存のサムネイルグループを解除するためにこの既存のサムネイルグループから除外するサムネイル画像である。
【００４２】
つぎに、コメント処理部１６ｃは、ステップＳ１０１において選択した１以上のサムネイル画像に関するサムネイルコメント等のコメントを抽出する（ステップＳ１０２）。具体的には、コメント処理部１６ｃは、ステップＳ１０１においてユーザが指定した１以上のサムネイル画像に付加されている１以上のサムネイルコメントを抽出する。ここで、コメント処理部１６ｃは、かかる１以上のサムネイル画像が既存のサムネイルグループ内のサムネイル画像である場合、この既存のサムネイルグループに関するグループコメントも抽出する。
【００４３】
その後、コメント処理部１６ｃは、サムネイルグループを作成指示するグループ化の指示の有無を判断する（ステップＳ１０３）。このステップＳ１０３において、コメント処理部１６ｃは、入力部１１によってグループ化の指示情報が入力されなければ、グループ化の指示なしと判断し（ステップＳ１０３，Ｎｏ）、既存のサムネイルグループを解除指示するグループ解除の指示の有無を判断する（ステップＳ１０４）。このステップＳ１０４において、コメント処理部１６ｃは、入力部１１によってグループ解除の指示情報が入力されなければ、グループ解除の指示なしと判断する（ステップＳ１０４，Ｎｏ）。この場合、コメント処理部１６ｃは、ステップＳ１０３に戻り、このステップＳ１０３以降の処理手順を繰り返す。なお、コメント処理部１６ｃは、ステップＳ１０２の処理手順を実行後、グループ解除の指示の有無を判断し、グループ解除の指示なしと判断した場合に、グループ化の指示の有無を判断してもよい。
【００４４】
一方、上述したステップＳ１０３において、コメント処理部１６ｃは、入力部１１によってグループ化の指示情報が入力された場合、グループ化の指示ありと判断する（ステップＳ１０３，Ｙｅｓ）。この場合、グループ化処理部１６ｂは、上述したステップＳ１０１においてユーザが指定した複数のサムネイル画像をグループ化し、これら複数のサムネイル画像を含むサムネイルグループを作成する。コメント処理部１６ｃは、かかるグループ化処理部１６ｂが作成したサムネイルグループに含まれる複数のサムネイル画像に関する複数のサムネイルコメントを結合し（ステップＳ１０５）、これによって、このサムネイルグループに関するグループコメントを作成する（ステップＳ１０６）。
【００４５】
コメント処理部１６ｃは、このステップＳ１０５，Ｓ１０６の処理手順を実行する際、上述したステップＳ１０２において抽出した複数のサムネイル画像に関する複数のサムネイルコメントを結合して、このサムネイルグループに関するグループコメントを作成する。この場合、コメント処理部１６ｃは、これら複数のサムネイルコメントの各コメント間にスペース（空白）または「／」等の区切り文字を挿入する。これによって、コメント処理部１６ｃは、これら複数のサムネイルコメント内の各サムネイルコメントを区別可能な状態でこれら複数のサムネイルコメントを結合する。
【００４６】
一方、上述したステップＳ１０４において、コメント処理部１６ｃは、入力部１１によってグループ解除の指示情報が入力された場合、グループ解除の指示ありと判断する（ステップＳ１０４，Ｙｅｓ）。この場合、グループ化処理部１６ｂは、上述したステップＳ１０１においてユーザが指定した１以上のサムネイル画像を既存のサムネイルグループ（ユーザによって解除指定されたサムネイルグループ）から削除して、この既存のサムネイルグループを解除する。コメント処理部１６ｃは、かかるグループ化処理部１６ｂがグループ解除した既存のサムネイルグループのグループコメントを１以上のサムネイル画像毎または１以上のサムネイルグループ毎に分割する（ステップＳ１０７）。
【００４７】
具体的には、グループ化処理部１６ｂが既存のサムネイルグループから１以上のサムネイル画像を除外してこの既存のサムネイルグループを解除した場合、コメント処理部１６ｃは、ステップＳ１０７において、この既存のサムネイルグループのグループコメントからグループ化処理部１６ｂが除外した１以上のサムネイル画像（１以上の除外対象サムネイル画像）のサムネイルコメントを削除して、この既存のサムネイルグループのグループコメントを別のサムネイルグループのグループコメントに変更し、且つ、かかる１以上の除外対象サムネイル画像に対してこの既存のサムネイルグループのグループコメントから削除した１以上のサムネイルコメントを付加する。すなわち、かかるコメント処理部１６ｃは、この既存のサムネイルグループのグループコメントを、かかる別のサムネイルグループのグループコメントと１以上の除外対象サムネイル画像のサムネイルコメントとに分割する。
【００４８】
また、グループ化処理部１６ｂが、既存のサムネイルグループから複数のサムネイル画像を除外して、この既存のサムネイルグループを別のサムネイルグループに変更するとともに、これら複数のサムネイル画像を含む新規サムネイルグループを作成した場合、コメント処理部１６ｃは、ステップＳ１０７において、この既存のサムネイルグループのグループコメントからグループ化処理部１６ｂが除外した複数のサムネイル画像のサムネイルコメントを削除して、この既存のサムネイルグループのグループコメントを別のサムネイルグループのグループコメントに変更し、且つ、これら複数のサムネイル画像のサムネイルコメントを上述したステップＳ１０５と同様に結合して、この新規サムネイルグループのグループコメントを作成する。すなわち、かかるコメント処理部１６ｃは、この既存のサムネイルグループのグループコメントを、かかる別のサムネイルグループのグループコメントと新規サムネイルグループのグループコメントとに分割する。
【００４９】
上述したステップＳ１０６またはステップＳ１０７の処理手順が実行された後、コメント処理部１６ｃは、グループ化処理部１６ｂによって作成または変更されたサムネイルグループのグループコメントを更新する（ステップＳ１０８）。
【００５０】
具体的には、コメント処理部１６ｃは、直前のステップＳ１０６またはステップＳ１０７においてグループコメントを作成した場合、グループ化処理部１６ｂが作成したサムネイルグループのグループコメントとして、この作成したグループコメントを新規設定する。一方、コメント処理部１６ｃは、直前のステップＳ１０７においてグループコメントを分割した場合、グループ化処理部１６ｂがグループ解除した既存のサムネイルグループのグループコメントをこの分割後のグループコメントに更新する。この場合、かかるコメント処理部１６ｃが更新した分割後のグループコメントは、この既存サムネイルグループを変更（分割）して形成された別のサムネイルグループのグループコメントである。なお、かかるグループコメントは、症例データ群１５ａの一部として記憶部１５に保存される。
【００５１】
つぎに、上述したコメント処理部１６ｃがグループコメントを作成する際の表示部１２の表示態様について説明する。図４は、コメント処理部１６ｃがグループコメントを作成する際に表示部１２に表示されるウィンドウの一例を示す模式図である。図４に示すように、このウィンドウ４０は、サムネイル画像のグループ化またはサムネイルグループの解除等のサムネイル画像に関する各種処理を行うためのＧＵＩを有する。かかるウィンドウ４０の表示状態は、上述した表示制御部１６ａによって制御される。
【００５２】
具体的には、ウィンドウ４０は、１以上のサムネイル画像を表示する第１サムネイル表示部４１と、第１サムネイル表示部４１に表示された１以上のサムネイル画像の中から選択された所望のサムネイル画像を表示する第２サムネイル表示部４２と、サムネイルコメントまたはグループコメントを表示または作成するためのコメントボックス４３とを有する。また、ウィンドウ４０は、第１サムネイル表示部４１の近傍に、追加アイコン４１ａと、リムーブアイコン４１ｂと、グループ追加アイコン４１ｃとを有し、第２サムネイル表示部４２の近傍に、グループ化アイコン４２ａと、グループ解除アイコン４２ｂと、順序変更アイコン４２ｃとを有する。さらに、ウィンドウ４０は、コメントボックス４３に既存の文字情報を入力するための辞書部４４と、第１サムネイル表示部４１または第２サムネイル表示部４２に表示されているサムネイル画像に対して所定のマークを追加するためのマーカ付加部４５とを有する。
【００５３】
第１サムネイル表示部４１は、被検体１の体内画像群の中からユーザが選択した１以上の体内画像に対応する１以上のサムネイル画像を表示する。例えば図４に示すように、かかる第１サムネイル表示部４１には、４つのサムネイル画像ＴＰ１〜ＴＰ４が表示される。また、第１サムネイル表示部４１は、かかるサムネイル画像のスクロール機能を有し、これら４つのサムネイル画像ＴＰ１〜ＴＰ４に限らず、所望数のサムネイル画像を表示することができる。
【００５４】
追加アイコン４１ａは、第１サムネイル表示部４１に表示された１以上のサムネイル画像の中からユーザが選択した１以上のサムネイル画像を第２サムネイル表示部４２に追加表示するためのアイコンである。具体的には、第１サムネイル表示部４１に表示されたサムネイル画像ＴＰ１〜ＴＰ４の中からサムネイル画像ＴＰ１をユーザが選択して追加アイコン４１ａがクリックされた場合、この選択されたサムネイル画像ＴＰ１は、第２サムネイル表示部４２に追加表示される。また、かかる第１サムネイル表示部４１内のサムネイル画像ＴＰ１〜ＴＰ４の中から複数のサムネイル画像をユーザが選択して追加アイコン４１ａがクリックされた場合、これら複数のサムネイル画像は、一括して第２サムネイル表示部４２に表示される。
【００５５】
リムーブアイコン４１ｂは、第２サムネイル表示部４２に追加表示された１以上のサムネイル画像の中からユーザが選択した１以上のサムネイル画像を第１サムネイル表示部４１に戻す（すなわち第２サムネイル表示部４２から除外する）ためのアイコンである。具体的には、第２サムネイル表示部４２に表示されたサムネイル画像ＴＰ１〜ＴＰ４の中からサムネイル画像ＴＰ１をユーザが選択してリムーブアイコン４１ｂがクリックされた場合、この選択されたサムネイル画像ＴＰ１は、第２サムネイル表示部４２から除外されて第１サムネイル表示部４１に戻される。また、かかる第２サムネイル表示部４２内のサムネイル画像ＴＰ１〜ＴＰ４の中から複数のサムネイル画像をユーザが選択してリムーブアイコン４１ｂがクリックされた場合、これら複数のサムネイル画像は、一括して第２サムネイル表示部４２から削除されて第１サムネイル表示部４１に戻される。
【００５６】
グループ追加アイコン４１ｃは、第１サムネイル表示部４１に表示された１以上のサムネイル画像の中からユーザが選択した複数のサムネイル画像をグループ化して第２サムネイル表示部４２に追加表示するためのアイコンである。具体的には、第１サムネイル表示部４１に表示されたサムネイル画像ＴＰ１〜ＴＰ４の中から複数のサムネイル画像ＴＰ１，ＴＰ２をユーザが選択してグループ追加アイコン４１ｃがクリックされた場合、入力部１１は、この選択された複数のサムネイル画像ＴＰ１，ＴＰ２のグループ化を指示する指示情報を制御部１６に入力する。この場合、グループ化処理部１６ｂは、これら複数のサムネイル画像ＴＰ１，ＴＰ２を含むサムネイルグループＴＧ１を作成する。かかるグループ化処理部１６ｂによって作成されたサムネイルグループＴＧ１は、これら複数のサムネイル画像ＴＰ１，ＴＰ２を視認可能な態様で第２サムネイル表示部４２に追加表示される。なお、コメント処理部１６ｃは、これら複数のサムネイル画像ＴＰ１，ＴＰ２の各サムネイルコメントを結合してサムネイルグループＴＧ１のグループコメントを作成する。
【００５７】
第２サムネイル表示部４２は、上述した第１サムネイル表示部４１に表示された１以上のサムネイル画像の中からユーザが選択した１以上のサムネイル画像を追加表示する。例えば図４に示すように、かかる第２サムネイル表示部４２には、上述した第１サムネイル表示部４１内から選択された４つのサムネイル画像ＴＰ１〜ＴＰ４が表示される。なお、これら４つのサムネイル画像ＴＰ１〜ＴＰ４のうちの２つのサムネイル画像ＴＰ１，ＴＰ２がグループ化処理部１６ｂによってグループ化された場合、第２サムネイル表示部４２は、これら複数のサムネイル画像ＴＰ１，ＴＰ２を視認可能な態様でサムネイルグループＴＧ１を表示する。
【００５８】
グループ化アイコン４２ａは、第２サムネイル表示部４２に表示された複数のサムネイル画像をグループ化するためのアイコンである。具体的には、第２サムネイル表示部４２に表示されたサムネイル画像ＴＰ１〜ＴＰ４の中から複数のサムネイル画像ＴＰ１，ＴＰ２をユーザが選択してグループ化アイコン４２ａがクリックされた場合、入力部１１は、この選択された複数のサムネイル画像ＴＰ１，ＴＰ２のグループ化を指示する指示情報を制御部１６に入力する。この場合、グループ化処理部１６ｂは、これら複数のサムネイル画像ＴＰ１，ＴＰ２を含むサムネイルグループＴＧ１を作成する。かかるグループ化処理部１６ｂによって作成されたサムネイルグループＴＧ１は、これら複数のサムネイル画像ＴＰ１，ＴＰ２を視認可能な態様で第２サムネイル表示部４２に表示される。なお、コメント処理部１６ｃは、これら複数のサムネイル画像ＴＰ１，ＴＰ２の各サムネイルコメントを結合してサムネイルグループＴＧ１のグループコメントを作成する。
【００５９】
グループ解除アイコン４２ｂは、第２サムネイル表示部４２に表示されたサムネイルグループを解除するためのアイコンである。具体的には、第２サムネイル表示部４２に表示されたサムネイルグループＴＧ１内のサムネイル画像ＴＰ１をユーザが選択してグループ解除アイコン４２ｂがクリックされた場合、入力部１１は、この選択されたサムネイル画像ＴＰ１を含むサムネイルグループＴＧ１のグループ解除を指示する指示情報を制御部１６に入力する。この場合、グループ化処理部１６ｂは、この選択されたサムネイル画像ＴＰ１をサムネイルグループＴＧ１から除外して、このサムネイルグループＴＧ１を解除する。第２サムネイル表示部４２は、かかるグループ化処理部１６ｂによってサムネイルグループＴＧ１から解除（分割）されたサムネイル画像ＴＰ１，ＴＰ２を表示する。なお、コメント処理部１６ｃは、このグループ解除されたサムネイルグループＴＧ１のグループコメントをサムネイル画像ＴＰ１とサムネイル画像ＴＰ２とに分割する。
【００６０】
順序変更アイコン４２ｃは、第２サムネイル表示部４２に表示されたサムネイル画像またはサムネイルグループの順序を入れ替えるためのアイコンである。具体的には、第２サムネイル表示部４２に表示された複数のサムネイル画像をユーザが選択して順序変更アイコン４２ｃがクリックされた場合、これら複数のサムネイル画像の順序が入れ替わる。また、第２サムネイル表示部４２に表示された複数のサムネイルグループをユーザが選択して順序変更アイコン４２ｃがクリックされた場合、これら複数のサムネイルグループの順序が入れ替わる。
【００６１】
コメントボックス４３は、第１サムネイル表示部４１または第２サムネイル表示部４２に表示されたサムネイル画像のサムネイルコメントまたはサムネイルグループのグループコメントを表示および作成するためのテキストボックスである。具体的には、コメントボックス４３は、第１サムネイル表示部４１または第２サムネイル表示部４２に表示された１以上のサムネイル画像の中からユーザが所望のサムネイル画像を選択した場合、この選択されたサムネイル画像のサムネイルコメントをテキストデータ形式で表示する。また、コメントボックス４３は、第１サムネイル表示部４１または第２サムネイル表示部４２に表示された１以上のサムネイルグループの中からユーザが所望のサムネイルグループを選択した場合、この選択されたサムネイルグループのグループコメント（例えばサムネイルグループＴＧ１のグループコメント「ａａａ／ｂｂｂ」）をテキストデータ形式で表示する。かかるコメントボックス４３に表示されたサムネイルコメントまたはグループコメントは、入力部１１を操作することによって所望のサムネイルコメントまたはグループコメントに変更することができる。この場合、コメント処理部１６ｃは、コメントボックス４３に入力されたテキストデータをサムネイルコメントまたはグループコメントとして更新する。
【００６２】
辞書部４４は、予め設定された複数のテキストデータを有し、これら複数のテキストデータの中から、コメントボックス４３に表示するテキストデータの候補を検索して表示する辞書手段として機能する。具体的には、辞書部４４は、コメントボックス４３に所望の文字（アルファベット等）が入力された場合、予め設定された複数のテキストデータの中から、この入力された文字を頭文字とする１以上のテキストデータを検索し、この検索結果を表示する。そして、辞書部４４は、この検索結果として表示した１以上のテキストデータの中からユーザが選択したテキストデータをコメントボックス４３に表示する。例えば、辞書部４４は、コメントボックス４３に文字「ｂ」が入力された場合、この文字「ｂ」を頭文字とするテキストデータ「ｂｌｏｏｄ」を候補として表示する。かかる辞書部４４は、このテキストデータ「ｂｌｏｏｄ」がユーザによって選択された場合、この選択されたテキストデータ「ｂｌｏｏｄ」をコメントボックス４３に表示する。なお、かかる辞書部４４の辞書機能は、チェックボックス４４ａをクリックすることによって有効な状態または無効な状態に切り替えることができる。
【００６３】
マーカ付加部４５は、第１サムネイル表示部４１または第２サムネイル表示部４２に表示されたサムネイル画像に対して所望のマークを付加するためのＧＵＩである。具体的には、マーカ付加部４５は、円形または楕円形のマーカを付加するためのマーカアイコン４５ａと、矢形のマーカを付加するためのマーカアイコン４５ｂを有する。マーカ付加部４５は、図４に示すように、第１サムネイル表示部４１または第２サムネイル表示部４２に表示された１以上のサムネイル画像の中からユーザが選択したサムネイル画像を表示する。かかるマーカ付加部４５は、マーカアイコン４５ａがクリックされた場合、この表示したサムネイル画像上に円形または楕円形のマーカを付加し、マーカアイコン４５ｂがクリックされた場合、この表示したサムネイル画像上に矢形のマーカを付加する。
【００６４】
また、マーカ付加部４５は、かかるサムネイル画像上に付加したマーカを取り消すための取消アイコン４５ｃを有する。かかるマーカ付加部４５は、取消アイコン４５ｃがクリックされた場合、このサムネイル画像上に付加した各種マーカ（円形、楕円形、または矢形の各種マーカ）を削除する。
【００６５】
つぎに、複数のサムネイルコメントを結合してグループコメントを作成する際のコメント処理部１６ｃの動作を具体的に説明する。図５は、複数のサムネイルコメントを結合してグループコメントを作成するコメント処理部１６ｃの動作を説明するための模式図である。
【００６６】
図５に示すように、グループ化処理部１６ｂが４つのサムネイル画像ＴＰ１〜ＴＰ４（図４参照）のうちのサムネイル画像ＴＰ１，ＴＰ２をグループ化してサムネイルグループＴＧ１を作成した場合、コメント処理部１６ｃは、このサムネイル画像ＴＰ１のサムネイルコメント「ａａａ」と、このサムネイル画像ＴＰ２のサムネイルコメント「ｂｂｂ」とを結合して、かかるサムネイル画像ＴＰ１，ＴＰ２を含むサムネイルグループＴＧ１のグループコメントを作成する。この場合、コメント処理部１６ｃは、サムネイルグループＴＧ１内におけるサムネイル画像ＴＰ１，ＴＰ２の配列順に合わせて、かかるサムネイル画像ＴＰ１，ＴＰ２の各サムネイルコメント「ａａａ」，「ｂｂｂ」を結合し、且つ、この結合した各サムネイルコメント「ａａａ」，「ｂｂｂ」の間に所定の区切り文字「／」を挿入する。このようにして、コメント処理部１６ｃは、このサムネイルグループＴＧ１のグループコメント「ａａａ／ｂｂｂ」を作成する。
【００６７】
また、グループ化処理部１６ｂがサムネイルグループＴＧ１とサムネイル画像ＴＰ３とをグループ化してサムネイルグループＴＧ３を作成した場合、コメント処理部１６ｃは、このサムネイルグループＴＧ１のグループコメント「ａａａ／ｂｂｂ」と、このサムネイル画像ＴＰ３のサムネイルコメント「ｃｃｃ」とを結合して、かかるサムネイル画像ＴＰ１，ＴＰ２，ＴＰ３を含むサムネイルグループＴＧ３のグループコメントを作成する。この場合、コメント処理部１６ｃは、サムネイルグループＴＧ３内におけるサムネイル画像ＴＰ１，ＴＰ２，ＴＰ３の配列順に合わせて、このサムネイルグループＴＧ１のグループコメント「ａａａ／ｂｂｂ」と、このサムネイル画像ＴＰ３のサムネイルコメント「ｃｃｃ」とを結合し、且つ、この結合したグループコメント「ａａａ／ｂｂｂ」とサムネイルコメント「ｃｃｃ」との間に所定の区切り文字「／」を挿入する。このようにして、コメント処理部１６ｃは、このサムネイルグループＴＧ３のグループコメント「ａａａ／ｂｂｂ／ｃｃｃ」を作成する。
【００６８】
つぎに、複数のグループコメントを結合して新規にグループコメントを作成する際のコメント処理部１６ｃの動作を具体的に説明する。図６は、複数のグループコメントを結合して新規にグループコメントを作成するコメント処理部１６ｃの動作を説明するための模式図である。
【００６９】
図６に示すように、グループ化処理部１６ｂが上述したサムネイルグループＴＧ１を作成した場合、コメント処理部１６ｃは、上述したようにサムネイルグループＴＧ１のグループコメント「ａａａ／ｂｂｂ」を作成する。さらに、グループ化処理部１６ｂがサムネイル画像ＴＰ３，ＴＰ４をグループ化してサムネイルグループＴＧ２を作成した場合、コメント処理部１６ｃは、上述したサムネイルグループＴＧ１のグループコメントの場合と同様に、このサムネイル画像ＴＰ３のサムネイルコメント「ｃｃｃ」と、このサムネイル画像ＴＰ４のサムネイルコメント「ｄｄｄ」とを結合して、かかるサムネイル画像ＴＰ３，ＴＰ４を含むサムネイルグループＴＧ２のグループコメント「ｃｃｃ／ｄｄｄ」を作成する。
【００７０】
ここで、グループ化処理部１６ｂが複数のサムネイルグループＴＧ１，ＴＧ２をグループ化して１つのサムネイルグループＴＧ４を作成した場合、コメント処理部１６ｃは、かかるサムネイルグループＴＧ１，ＴＧ２の各グループコメント「ａａａ／ｂｂｂ」，「ｃｃｃ／ｄｄｄ」を結合して、かかるサムネイルグループＴＧ１，ＴＧ２を含むサムネイルグループＴＧ４のグループコメントを作成する。この場合、コメント処理部１６ｃは、サムネイルグループＴＧ４内におけるサムネイルグループＴＧ１，ＴＧ２の配列順（すなわちサムネイルグループＴＧ４内におけるサムネイル画像ＴＰ１，ＴＰ２，ＴＰ３，ＴＰ４の配列順）に合わせて、かかるサムネイルグループＴＧ１，ＴＧ２の各グループコメント「ａａａ／ｂｂｂ」，「ｃｃｃ／ｄｄｄ」を結合し、且つ、この結合した各グループコメント「ａａａ／ｂｂｂ」，「ｃｃｃ／ｄｄｄ」の間に所定の区切り文字「／」を挿入する。このようにして、コメント処理部１６ｃは、このサムネイルグループＴＧ４のグループコメント「ａａａ／ｂｂｂ／ｃｃｃ／ｄｄｄ」を作成する。
【００７１】
このようなコメント処理部１６ｃは、サムネイルグループＴＧ３（図５参照）とサムネイル画像ＴＰ４とのグループ化によってサムネイルグループＴＧ４が作成された場合、サムネイルグループＴＧ４内におけるサムネイルグループＴＧ３とサムネイル画像ＴＰ４との配列順に合わせてサムネイルグループＴＧ３のグループコメント「ａａａ／ｂｂｂ／ｃｃｃ」とサムネイル画像ＴＰ４のサムネイルコメント「ｄｄｄ」とを結合し、且つ、この結合したグループコメント「ａａａ／ｂｂｂ／ｃｃｃ」とサムネイルコメント「ｄｄｄ」との間に所定の区切り文字「／」を挿入する。このようにして、コメント処理部１６ｃは、このサムネイルグループＴＧ４のグループコメント「ａａａ／ｂｂｂ／ｃｃｃ／ｄｄｄ」を作成する。
【００７２】
また、このようなコメント処理部１６ｃは、サムネイルグループＴＧ１と複数のサムネイル画像ＴＰ３，ＴＰ４とのグループ化によってサムネイルグループＴＧ４が作成された場合、サムネイルグループＴＧ４内におけるサムネイルグループＴＧ１と複数のサムネイル画像ＴＰ３，ＴＰ４との配列順に合わせてサムネイルグループＴＧ１のグループコメント「ａａａ／ｂｂｂ」と複数のサムネイル画像ＴＰ３，ＴＰ４の各サムネイルコメント「ｃｃｃ」，「ｄｄｄ」とを結合し、且つ、かかるグループコメント「ａａａ／ｂｂｂ」と複数のサムネイルコメント「ｃｃｃ」，「ｄｄｄ」との各コメント間に所定の区切り文字「／」を挿入する。このようにして、コメント処理部１６ｃは、このサムネイルグループＴＧ４のグループコメント「ａａａ／ｂｂｂ／ｃｃｃ／ｄｄｄ」を作成する。
【００７３】
なお、このようなコメント処理部１６ｃは、グループコメントを形成する複数のサムネイルコメントの各間に、上述した区切り文字「／」以外の所望の区切り文字（例えば「，」，「．」，「｜」，「−」等）を挿入してもよいし、スペース（空白）を挿入してもよい。
【００７４】
つぎに、グループ化処理部１６ｂによってグループ解除されたサムネイルグループのグループコメントを分割する際のコメント処理部１６ｃの動作を具体的に説明する。図７は、グループ解除されたサムネイルグループのグループコメントを分割するコメント処理部１６ｃの動作を説明するための模式図である。
【００７５】
図７に示すように、グループ化処理部１６ｂが、サムネイルグループＴＧ４をサムネイルグループＴＧ１とサムネイルグループＴＧ２とに分割することによって、このサムネイルグループＴＧ４を解除した場合、コメント処理部１６ｃは、このサムネイルグループＴＧ４のグループコメント「ａａａ／ｂｂｂ／ｃｃｃ／ｄｄｄ」をサムネイルグループＴＧ１とサムネイルグループＴＧ２とに分割する。この場合、コメント処理部１６ｃは、このサムネイルグループＴＧ４のグループコメント「ａａａ／ｂｂｂ／ｃｃｃ／ｄｄｄ」のうち、サムネイルグループＴＧ１内のサムネイル画像ＴＰ１，ＴＰ２に対応するコメント部分「ａａａ／ｂｂｂ」をサムネイルグループＴＧ１に対して付加（分割）し、サムネイルグループＴＧ２内のサムネイル画像ＴＰ３，ＴＰ４に対応するコメント部分「ｃｃｃ／ｄｄｄ」をサムネイルグループＴＧ２に対して付加（分割）する。
【００７６】
また、グループ化処理部１６ｂが、サムネイルグループＴＧ１を複数のサムネイルグループＴＰ１，ＴＰ２に分割することによって、このサムネイルグループＴＧ１を解除した場合、コメント処理部１６ｃは、このサムネイルグループＴＧ１のグループコメント「ａａａ／ｂｂｂ」をサムネイル画像ＴＰ１とサムネイル画像ＴＰ２とに分割する。この場合、コメント処理部１６ｃは、このサムネイルグループＴＧ１のグループコメント「ａａａ／ｂｂｂ」のうち、サムネイル画像ＴＰ１に対応するコメント部分「ａａａ」をサムネイル画像ＴＰ１に対して付加（分割）し、サムネイル画像ＴＰ２に対応するコメント部分「ｂｂｂ」をサムネイル画像ＴＰ２に対して付加（分割）する。
【００７７】
これと同様に、コメント処理部１６ｃは、サムネイルグループＴＧ２が複数のサムネイルグループＴＰ３，ＴＰ４に分割された場合、このサムネイルグループＴＧ２のグループコメント「ｃｃｃ／ｄｄｄ」をサムネイル画像ＴＰ３のサムネイルコメント「ｃｃｃ」とサムネイル画像ＴＰ４のサムネイルコメント「ｄｄｄ」とに分割する。
【００７８】
一方、グループ化処理部１６ｂが、サムネイルグループＴＧ４からサムネイル画像ＴＰ４を除外することによって、このサムネイルグループＴＧ４を別のサムネイルグループＴＧ３（図５参照）に変更した場合、コメント処理部１６ｃは、このサムネイルグループＴＧ４のグループコメント「ａａａ／ｂｂｂ／ｃｃｃ／ｄｄｄ」から、この除外されたサムネイル画像ＴＰ４のサムネイルコメント「ｄｄｄ」を削除して、このサムネイルグループＴＧ３のグループコメント「ａａａ／ｂｂｂ／ｃｃｃ」を作成し、且つ、この削除したサムネイルコメント「ｄｄｄ」をこのサムネイル画像ＴＰ４に付加する。
【００７９】
また、グループ化処理部１６ｂが、サムネイルグループＴＧ４から複数のサムネイル画像ＴＰ３，ＴＰ４を除外することによって、このサムネイルグループＴＧ４を別のサムネイルグループＴＧ１に変更した場合、コメント処理部１６ｃは、このサムネイルグループＴＧ４のグループコメント「ａａａ／ｂｂｂ／ｃｃｃ／ｄｄｄ」から、この除外されたサムネイル画像ＴＰ３，ＴＰ４の各サムネイルコメント「ｃｃｃ」，「ｄｄｄ」を削除して、このサムネイルグループＴＧ１のグループコメント「ａａａ／ｂｂｂ」を作成し、且つ、この削除した複数のサムネイルコメント「ｃｃｃ」，「ｄｄｄ」をこれら複数のサムネイル画像ＴＰ３，ＴＰ４にそれぞれ付加する。
【００８０】
つぎに、上述した症例データ群１５ａの中から選択された被検体１の症例データ内に含まれる体内画像群を表示する際の表示部１２の表示態様について説明する。図８は、被検体１の体内画像群等を表示する際に表示部１２に表示されるウィンドウの一例を示す模式図である。表示制御部１６ａは、制御部１６によって所定のログイン処理が行われた場合、図８に示すようなウィンドウ５０を表示部１２に表示させる。このウィンドウ５０は、被検体１の体内画像群を表示して被検体１の臓器内部を観察するためのＧＵＩを有する。かかるウィンドウ５０の表示状態は、上述した表示制御部１６ａによって制御される。
【００８１】
具体的には図８に示すように、ウィンドウ５０は、被検体１の体内画像群を表示する主画像表示部５１と、主画像表示部５１に体内画像群を表示する各種表示操作を行うための表示操作アイコン群５２と、この被検体１の体内画像群の中から選択された所望の体内画像に対応するサムネイル画像を表示する副画像表示部５３とを有する。また、ウィンドウ５０は、この被検体１の体内画像群に含まれる各体内画像の時間位置を示すタイムバー５４ａと、タイムバー５４ａが示す各時間位置に含まれる体内画像群の平均色を表示する平均色バー５４ｂと、この被検体１の体内画像群に含まれる１以上の出血画像の時間位置を示す出血バー５４ｃと、このタイムバー５４ａが示す各時間位置のうちの主画像表示部５１に表示されている現表示画像の時間位置を示すスライダ５４ｄとを有する。さらに、ウィンドウ５０は、主画像表示部５１に表示する体内画像群のフレームレートを表示するフレームレート表示部５５と、サムネイル画像を登録済みの体内画像であるか否かを示す情報を表示する登録有無表示部５６と、主画像表示部５１に一括して表示する体内画像数を設定する表示枚数設定部５７と、ファイルメニュー、ツールメニュー、およびヘルプメニュー等の各種メニューを表示するメニューバー５８とを有する。
【００８２】
主画像表示部５１は、表示操作アイコン群５２を用いた表示操作（再生、早送り、一時停止等）に対応して、被検体１の体内画像群を順次表示する。かかる主画像表示部５１は、表示枚数設定部５７によって設定された体内画像数を一度に表示する。例えば、表示枚数設定部５７が体内画像数「２枚」を設定した場合、主画像表示部５１は、図８に示す体内画像Ｐ１，Ｐ２に例示されるように、被検体１の体内画像群を一度に２枚ずつ順次表示する。なお、かかる表示枚数設定部５７によって設定される体内画像数は、例えば、「１枚」、「２枚」、または「４枚」である。
【００８３】
また、主画像表示部５１は、現在表示している体内画像（現表示画像）の時間情報を表示する時間情報表示部５１ａと、アンテナ位置情報表示部５１ｂとを有する。時間情報表示部５１ａは、図８に示す体内画像Ｐ１，Ｐ２に例示される主画像表示部５１の現表示画像に対応する時間情報として、例えば、現表示画像の撮像時刻、被検体１の体内画像群における先頭画像（撮像時刻が最も早い体内画像）に対する相対時間等を表示する。
【００８４】
アンテナ位置情報表示部５１ｂは、上述した受信装置３（図１参照）が受信アンテナ３ａ〜３ｈを介して現表示画像を受信した際に、最も高い受信電界強度で現表示画像を補足した受信アンテナの位置を示す。かかるアンテナ位置情報表示部５１ｂは、かかるアンテナ位置情報を表示することによって、現表示画像が撮像された際のカプセル型内視鏡２の推定位置を示すことができる。なお、アンテナ位置情報表示部５１ｂの情報表示機能は、表示設定アイコン５１ｃをクリックすることによって有効な状態または無効な状態に切り替えることができる。
【００８５】
副画像表示部５３は、主画像表示部５１に表示された被検体１の体内画像群の中から選択された１以上の体内画像群に対応する１以上のサムネイル画像を表示する。具体的には、主画像表示部５１に順次表示された体内画像群の中から、ユーザが入力部１１を操作して所望の体内画像を選択（クリック）した場合、その都度、この選択された所望の体内画像に対応するサムネイル画像が登録される。副画像表示部５３は、このように登録されたサムネイル画像（例えばサムネイル画像ＴＰ１〜ＴＰ８）を順次追加表示する。また、副画像表示部５３は、スクロール機能を有し、これら８つのサムネイル画像ＴＰ１〜ＴＰ８に限らず、所望数のサムネイル画像を表示することができる。
【００８６】
なお、かかる副画像表示部５３に表示された１以上のサムネイル画像は、上述したウィンドウ４０（図４参照）が表示部１２に表示された場合、このウィンドウ４０内の第１サムネイル表示部４１に表示される。
【００８７】
タイムバー５４ａは、主画像表示部５１に表示される被検体１の体内画像群内の各体内画像の時間位置を示す。スライダ５４ｄは、主画像表示部５１の現表示画像の時間情報に合わせてタイムバー５４ａ上を移動して、この現表示画像に対応するタイムバー５４ａ上の時間位置を示す。平均色バー５４ｂおよび出血バー５４ｃは、かかるタイムバー５４ａの時間軸に沿って形成される。平均色バー５４ｂは、かかるタイムバー５４ａの各時間位置に存在する複数の体内画像の平均色を時間位置毎に表示する。出血バー５４ｃは、被検体１の体内画像群に１以上の出血画像（出血部位が撮像された体内画像）が含まれる場合、かかる１以上の出血画像の時間位置を例えば赤色マーカによって示す。
【００８８】
フレームレート表示部５５は、主画像表示部５１に被検体１の体内画像群を順次表示する際の表示速度（フレームレート）を体内画像毎に順次表示する。具体的には、フレームレート表示部５５は、主画像表示部５１に１以上の体内画像が表示される都度、この主画像表示部５１の現表示画像のフレームレートを順次表示する。かかるフレームレート表示部５５は、例えば図８に示すように、主画像表示部５１の現表示画像のフレームレートのレベルをバー表示および数値表示する。かかるフレームレート表示部５５のバー表示および数値表示によって、ユーザは、主画像表示部５１に表示される１以上の体内画像のフレームレートが所望のレベルに設定されているか否かを容易に視認することができる。
【００８９】
登録有無表示部５６は、主画像表示部５１に表示された現表示画像に対応するサムネイル画像が登録済みであるか否かを示す情報を表示する。具体的には、登録有無表示部５６は、主画像表示部５１に一度に表示される体内画像数と同数の所定マーク（例えば図８に示す三角形マーク）を表示し、この表示した所定マークの表示態様（例えば表示色）を変化させることによって、現表示画像に対応するサムネイル画像を登録済みであるか否かの情報を表示する。例えば図８において、登録有無表示部５６が、左側の三角形マークの色を青色にし、且つ、右側の三角形マークの色を白色にした場合、主画像表示部５１の現表示画像である体内画像Ｐ１，Ｐ２のうちの左側の体内画像Ｐ１は、既にサムネイル画像を登録済みの体内画像であり、右側の体内画像Ｐ２は、未だサムネイル画像を登録していない体内画像である。
【００９０】
つぎに、ウィンドウ５０内の副画像表示部５３に表示された１以上のサムネイル画像に対する各種処理（サムネイルコメントの付加処理、マーカの付加処理等）を実行する際の表示部１２の表示態様について説明する。図９は、ウィンドウ５０内の副画像表示部５３に表示された１以上のサムネイル画像に対して各種処理を実行する際に表示部１２に表示されるウィンドウの一例を示す模式図である。図９に示すように、このウィンドウ６０は、サムネイル画像に関する各種処理を行うためのＧＵＩを有する。かかるウィンドウ６０は、上述したウィンドウ５０（図８参照）のメニューバー５８のツールメニュー内の所定の項目が選択された場合に表示部１２に表示される。かかるウィンドウ６０の表示状態は、上述した表示制御部１６ａによって制御される。
【００９１】
具体的には、図９に示すように、ウィンドウ６０は、上述した副画像表示部５３に表示された１以上のサムネイル画像に対して所定のマークを追加するためのマーカ付加部６１と、かかるサムネイル画像に付加するサムネイルコメントを表示および作成するためのコメントボックス６２と、コメントボックス６２に既存の文字情報を入力するための辞書部６３とを有する。
【００９２】
マーカ付加部６１は、ウィンドウ５０内の副画像表示部５３に表示された１以上のサムネイル画像に対して所望のマークを付加するためのＧＵＩであり、上述したウィンドウ４０（図４参照）内のマーカ付加部４５と略同様の機能を有する。具体的には、マーカ付加部６１は、円形または楕円形のマーカを付加するためのマーカアイコン６１ａと、矢形のマーカを付加するためのマーカアイコン６１ｂとを有する。マーカ付加部６１は、図９に示すように、副画像表示部５３内の１以上のサムネイル画像の中からユーザが選択されたサムネイル画像を表示する。かかるマーカ付加部６１は、マーカアイコン６１ａがクリックされた場合、この表示したサムネイル画像上に円形または楕円形のマーカを付加し、マーカアイコン６１ｂがクリックされた場合、この表示したサムネイル画像上に矢形のマーカを付加する。
【００９３】
また、マーカ付加部６１は、かかるサムネイル画像上に付加したマーカを取り消すための取消アイコン６１ｃを有する。かかるマーカ付加部６１は、取消アイコン６１ｃがクリックされた場合、このサムネイル画像上に付加した各種マーカ（円形、楕円形、または矢形の各種マーカ）を削除する。
【００９４】
コメントボックス６２は、ウィンドウ５０内の副画像表示部５３に表示された１以上のサムネイル画像のサムネイルコメントを表示および作成するためのテキストボックスである。具体的には、コメントボックス６２は、副画像表示部５３に表示された１以上のサムネイル画像の中からユーザが所望のサムネイル画像を選択した場合、この選択された所望のサムネイル画像のサムネイルコメントをテキストデータ形式で表示する。かかるコメントボックス６２に表示されたサムネイルコメントは、入力部１１を操作することによって所望のサムネイルコメントに変更することができる。コメント処理部１６ｃは、かかるコメントボックス６２によって変更されたサムネイルコメントをこの選択された所望のサムネイル画像に対して付加する。
【００９５】
一方、かかるサムネイル画像にサムネイルコメントが付加されていない場合、コメントボックス６２は、新規にサムネイルコメントを作成可能な状態（空欄状態）である。この場合、コメントボックス６２には、入力部１１の入力操作等によって所望のサムネイルコメントが入力される。コメント処理部１６ｃは、かかるコメントボックス６２に入力されたサムネイルコメントをこの選択された所望のサムネイル画像に対して付加する。
【００９６】
辞書部６３は、予め設定された複数のテキストデータを有し、これら複数のテキストデータの中から、コメントボックス６２に表示するテキストデータの候補を検索して表示する辞書手段として機能する。具体的には、辞書部６３は、コメントボックス６２に所望の文字（アルファベット等）が入力された場合、予め設定された複数のテキストデータの中から、この入力された文字を頭文字とする１以上のテキストデータを検索し、この検索結果を表示する。そして、辞書部６３は、この検索結果として表示した１以上のテキストデータの中からユーザが選択したテキストデータをコメントボックス６２に表示する。例えば、辞書部６３は、コメントボックス６２に文字「ｂ」が入力された場合、この文字「ｂ」を頭文字とするテキストデータ「ｂｌｏｏｄ」を候補として表示する。かかる辞書部６３は、このテキストデータ「ｂｌｏｏｄ」がユーザによって選択された場合、図９に示すように、この選択されたテキストデータ「ｂｌｏｏｄ」をコメントボックス４２に表示する。なお、かかる辞書部６３の辞書機能は、チェックボックス６３ａをクリックすることによって有効な状態または無効な状態に切り替えることができる。
【００９７】
このようなウィンドウ６０は、被検体１の体内画像群等を表示するウィンドウ５０が開示された状態において、表示部１２に追加表示される。したがって、ユーザは、かかるウィンドウ５０を上述したウィンドウ４０（図４参照）に切り替えることなく、かかるウィンドウ６０を用いてサムネイル画像に対する各種処理（サムネイルコメントの付加処理、各種マーカの付加処理等）を容易に行うことができる。
【００９８】
つぎに、被検体１の診断レポートを作成する際の表示部１２の表示態様について説明する。図１０は、診断レポートに掲載する被検体の診断結果等の各種情報を入力する際に表示部１２に表示されるウィンドウの一例を示す模式図である。図１１は、診断レポートに掲載するサムネイル画像およびサムネイルコメント等の各種情報を確認する際に表示部１２に表示されるウィンドウの一例を示す模式図である。図１０，１１に示すように、このウィンドウ７０は、被検体１の診断レポートを作成するためのＧＵＩを有する。かかるウィンドウ７０は、上述したウィンドウ５０（図８参照）のメニューバー５８のツールメニュー内の所定の項目が選択された場合に表示部１２に表示される。かかるウィンドウ７０の表示状態は、上述した表示制御部１６ａによって制御される。
【００９９】
具体的には、図１０，１１に示すように、ウィンドウ７０は、診断レポートに掲載する被検体１の診断結果等の各種情報を編集するためのインフォメーションページ７１と、この被検体１の診断レポートに掲載するサムネイル画像等を確認するためのサムネイル画像ページ７５と、診断レポートの作成を指示するためのレポートアイコン７６とを有する。かかるウィンドウ７０は、インフォメーションページ７１とサムネイル画像ページ７５とを選択的に切り替えて表示する。以下では、まず、インフォメーションページ７１について説明し、その後、サムネイル画像ページについて説明する。
【０１００】
インフォメーションページ７１は、図１０に示すように、診断レポートに掲載する医師名（被検体１を診断した医師の名前）を設定する医師名設定部７２ａと、診断レポートに掲載する施設名（被検体１を診断した施設の名前）を設定する施設名設定部７２ｂと、診断レポートに掲載する住所を設定する住所設定部７２ｃと、診断レポートに掲載する電話番号を設定する電話番号設定部７２ｄと、診断レポートに掲載する電子メールアドレスを設定するメールアドレス設定部７２ｅとを有する。また、インフォメーションページ７１は、この被検体１の患者情報および検査情報等を表示する情報表示領域７３を有する。さらに、インフォメーションページ７１は、診断レポートに掲載する医師名（紹介先の医師の名前）を入力するためのテキストボックス７４ａと、診断レポートに掲載する紹介理由等を入力するためのテキストボックス７４ｂと、診断レポートに掲載する診断結果等を入力するためのテキストボックス７４ｃと、診断レポートに掲載する診断結果等の要約を入力するためのテキストボックス７４ｄとを有する。
【０１０１】
医師名設定部７２ａは、入力部１１の操作によってテキストデータを入力可能なテキストボックスとしての機能を有し、被検体１を診断した医師等の名前が入力される。また、医師名設定部７２ａは、入力部１１の操作によって医師名候補のドロップダウンリストを表示する。かかる医師名設定部７２ａは、この医師名候補のドロップダウンリストの中からユーザが選択した所望の医師名を、診断レポートに掲載する医師名として設定する。
【０１０２】
施設名設定部７２ｂは、入力部１１の操作によってテキストデータを入力可能なテキストボックスとしての機能を有し、被検体１を診断した病院等の施設名が入力される。また、施設名設定部７２ｂは、入力部１１の操作によって施設名候補のドロップダウンリストを表示する。かかる施設名設定部７２ｂは、この施設名候補のドロップダウンリストの中からユーザが選択した所望の施設名を、診断レポートに掲載する施設名として設定する。
【０１０３】
住所設定部７２ｃは、入力部１１の操作によってテキストデータを入力可能なテキストボックスとしての機能を有し、被検体１を診断した施設等の住所が入力される。また、住所設定部７２ｃは、入力部１１の操作によって住所候補のドロップダウンリストを表示する。かかる住所設定部７２ｃは、この住所候補のドロップダウンリストの中からユーザが選択した所望の住所を、診断レポートに掲載する住所として設定する。
【０１０４】
電話番号設定部７２ｄは、入力部１１の操作によってテキストデータを入力可能なテキストボックスとしての機能を有し、被検体１を診断した医師等の電話番号が入力される。また、電話番号設定部７２ｄは、入力部１１の操作によって電話番号候補のドロップダウンリストを表示する。かかる電話番号設定部７２ｄは、この電話番号候補のドロップダウンリストの中からユーザが選択した所望の電話番号を、診断レポートに掲載する電話番号として設定する。
【０１０５】
メールアドレス設定部７２ｅは、入力部１１の操作によってテキストデータを入力可能なテキストボックスとしての機能を有し、被検体１を診断した医師等の電子メールアドレスが入力される。また、メールアドレス設定部７２ｅは、入力部１１の操作によって電子メールアドレス候補のドロップダウンリストを表示する。かかるメールアドレス設定部７２ｅは、この電子メールアドレス候補のドロップダウンリストの中からユーザが選択した所望の電子メールアドレスを、診断レポートに掲載する電子メールアドレスとして設定する。
【０１０６】
情報表示領域７３は、診断レポートに掲載される診断結果等に関する被検体１の患者情報および検査情報等を表示するための領域である。具体的には、かかる情報表示領域７３には、被検体１の患者情報として、被検体１の患者ＩＤ、患者名、生年月日、性別、年齢、身長、体重、ウエストサイズ等が表示され、被検体１の検査情報として、検査実施日、検査ＩＤ等が表示される。なお、かかる被検体１の患者情報のうち、生年月日、性別、年齢、身長、体重、ウエストサイズ等の被検体１の個人情報は、所定のチェックボックスをクリックする等の操作によって、表示または非表示を選択することができる。
【０１０７】
テキストボックス７４ａは、入力部１１の操作によって医師名を入力するためのものである。かかるテキストボックス７４ａには、例えば紹介先の医師等の名前がテキストデータ形式で入力される。テキストボックス７４ｂは、入力部１１の操作によって紹介理由等を入力するためのものである。かかるテキストボックス７４ａには、例えば紹介先の医師に対する紹介理由等がテキストデータ形式で入力される。テキストボックス７４ｃは、入力部１１の操作によって診断結果等を入力するためのものである。かかるテキストボックス７４ｃには、例えば被検体１の診断結果等がテキストデータ形式で入力される。テキストボックス７４ｄは、入力部１１の操作によって要約等を入力するためのものである。かかるテキストボックス７４ｄには、例えば被検体１の診断結果の要約または所見等がテキストデータ形式で入力される。
【０１０８】
つぎに、ウィンドウ７０内のサムネイル画像ページ７５について説明する。図１１に示すように、サムネイル画像ページ７５は、診断レポートに掲載する画像情報（サムネイル画像、サムネイルグループ等）および各種コメント（サムネイルコメント、グループコメント等）を表示する。かかるサムネイル画像ページに表示されるサムネイル画像またはサムネイルグループは、上述したウィンドウ４０（図４参照）内の第２サムネイル表示部４２に表示されたサムネイル画像またはサムネイルグループである。
【０１０９】
具体的には、上述した図４に示したように、第２サムネイル表示部４２にサムネイルグループＴＧ１とサムネイル画像ＴＰ３，ＴＰ４とが表示された場合、サムネイル画像ページ７５は、サムネイルグループＴＧ１に含まれるサムネイル画像ＴＰ１，ＴＰ２と、サムネイル画像ＴＰ３と、サムネイル画像ＴＰ４とを行毎に分けて表示する。すなわち、サムネイル画像ページ７５は、サムネイルグループＴＧ１に含まれるサムネイル画像ＴＰ１，ＴＰ２を１段目に表示し、サムネイル画像ＴＰ３を２段目に表示し、サムネイル画像ＴＰ４を３段目に表示する。
【０１１０】
また、かかるサムネイル画像ページの各段には、サムネイルコメントまたはグループコメントを表示するコメント表示領域が形成される。具体的には、サムネイルグループＴＧ１（サムネイル画像ＴＰ１，ＴＰ２）を表示した１段目にはコメント表示領域Ｃｏｍ１が形成され、サムネイル画像ＴＰ３を表示した２段目にはコメント表示領域Ｃｏｍ２が形成され、サムネイル画像ＴＰ４を表示した３段目にはコメント表示領域Ｃｏｍ３が形成される。この場合、コメント表示領域Ｃｏｍ１にはサムネイルグループＴＧ１のグループコメント「ａａａ／ｂｂｂ」が表示され、コメント表示領域Ｃｏｍ２にはサムネイル画像ＴＰ３のサムネイルコメント「ｃｃｃ」が表示され、コメント表示領域Ｃｏｍ３にはサムネイル画像ＴＰ４のサムネイルコメント「ｄｄｄ」が表示される。
【０１１１】
ユーザは、かかるサムネイル画像ページ７５を表示部１２に表示させることによって、被検体１の診断レポートに掲載するサムネイル画像およびサムネイルグループの画像内容および配列と、かかるサムネイル画像およびサムネイルグループの各コメント（サムネイルコメントおよびグループコメント）の内容および配列とを確認することができる。
【０１１２】
つぎに、レポート処理部１６ｄによって作成された被検体１の診断レポートを表示する際の表示部１２の表示態様と、被検体１の診断レポートを作成するレポート処理部１６ｄの動作とについて説明する。図１２は、被検体１の診断レポートを表示するウィンドウの一例を示す模式図である。図１２に示すように、このウィンドウ８０は、レポート処理部１６ｄが作成した被検体１の診断レポートを表示または印刷するためのＧＵＩを有する。かかるウィンドウ８０は、例えばウィンドウ７０内のレポートアイコン７６（図１０，１１参照）がクリックされた場合に表示部１２に表示される。かかるウィンドウ８０の表示態様は、上述した表示制御部１６ａによって制御される。
【０１１３】
具体的には、図１２に示すように、ウィンドウ８０は、レポート処理部１６ｄが作成した被検体１の診断レポート（ドラフト）を表示する。かかるウィンドウ８０に表示された診断レポートには、複数の情報掲載欄８１〜８６が段毎に分けて形成される。また、ウィンドウ８０は、診断レポートを作成し直すための戻りアイコン８７と、診断レポートを印刷するためのプリントアイコン８８とを有する。
【０１１４】
一方、上述したウィンドウ７０内のレポートアイコン７６がクリックされた場合、入力部１１は、診断レポート作成を指示する指示情報を制御部１６に入力する。この場合、レポート処理部１６ｄは、かかる診断レポート作成の指示情報に基づいて、上述したウィンドウ７０内のインフォメーションページ７１において入力（作成）された被検体１に関する情報と、サムネイル画像ページに表示されたサムネイル画像等の画像情報およびサムネイルコメント等のコメント情報とを取得し、この取得した各種情報をもとに、被検体１の診断レポートを作成する。
【０１１５】
具体的には、レポート処理部１６ｄは、医師名設定部７２ａによって設定された医師名、施設名設定部７２ｂによって設定された施設名、住所設定部７２ｃによって設定された住所、電話番号設定部７２ｄによって設定された電話番号、および、メールアドレス設定部７２ｅによって設定された電子メールアドレスのうちの少なくとも一つを用いて、診断レポートに掲載するファシリティ情報を作成する。すなわち、レポート処理部１６ｄは、かかる医師名、施設名、住所、電話番号、および電子メールアドレスのうちのインフォメーションページ７１において設定（テキスト入力）された情報のみを用いてファシリティ情報を作成する。レポート処理部１６ｄは、かかるファシリティ情報を診断レポート（ドラフト）の情報掲載欄８１に掲載する。
【０１１６】
例えば、医師名設定部７２ａおよび施設名設定部７２ｂによって医師名「Ｄｒ．ＡＢＣＤ」および施設名「ＥＦＧ  Ｈｏｓｐｉｔａｌ」がそれぞれ設定され、住所設定部７２ｃ、電話番号設定部７２ｄ、およびメールアドレス設定部７２ｅが各テキストデータ（住所、電話番号、および電子メールアドレス）をそれぞれ設定していない場合、レポート処理部１６ｄは、かかる医師名設定部７２ａおよび施設名設定部７２ｂによってそれぞれ設定された各テキストデータ（医師名「Ｄｒ．ＡＢＣＤ」および施設名「ＥＦＧ  Ｈｏｓｐｉｔａｌ」）のみを用いてファシリティ情報を作成する。この場合、レポート処理部１６ｄは、図１２に示すように、医師名「Ｄｒ．ＡＢＣＤ」および施設名「ＥＦＧ  Ｈｏｓｐｉｔａｌ」のみを情報掲載欄８１に掲載する。
【０１１７】
また、レポート処理部１６ｄは、インフォメーションページ７１の情報表示領域７３に表示された各種情報（被検体１の患者情報および検査情報等）を診断レポート（ドラフト）の情報掲載欄８２に掲載する。さらに、レポート処理部１６ｄは、テキストボックス７４ａに入力されたテキストデータ（医師名）を情報掲載欄８３に掲載し、テキストボックス７４ｂに入力されたテキストデータ（紹介理由等）を情報掲載欄８４に掲載し、テキストボックス７４ｃに入力されたテキストデータ（被検体１の診断結果等）を情報掲載欄８５に掲載し、テキストボックス７４ｄに入力されたテキストデータ（要約等）を情報掲載欄８６に掲載する。
【０１１８】
さらに、レポート処理部１６ｄは、サムネイル画像ページ７５に表示された画像情報（サムネイル画像、サムネイルグループ等）とコメント情報（サムネイルコメント、グループコメント）を被検体１の診断レポート（ドラフト）の２ページ目以降（図示せず）に掲載する。この場合、レポート処理部１６ｄは、かかるサムネイル画像ページ７５の表示態様（図１１参照）と同様に、サムネイル画像等の画像情報を診断レポート上に配列し、かかる画像情報の近傍にコメント情報を掲載する。
【０１１９】
このようなレポート処理部１６ｄは、図１２に示す診断レポートページ（１ページ目）と、図１１に示すサムネイル画像ページ７５の表示態様と同様の診断レポートページ（２ページ目）とを作成する。かかるレポート処理部１６ｄによって作成された被検体１の診断レポートは、プリントアイコン８８がクリックされた場合に、上述した出力部１４によってプリント出力される。一方、戻りアイコン８７がクリックされた場合、表示部１２は、ウィンドウ８０に代えて上述したウィンドウ７０を表示する。すなわち、表示部１２は、診断レポート（ドラフト）の表示画面を診断レポート作成のための画面に戻す。
【０１２０】
なお、本発明の実施の形態では、サムネイルグループがグループ解除された場合、コメント処理部１６ｃは、このサムネイルグループのグループコメントをサムネイル画像毎またはサムネイルグループ毎に分割していたが、これに限らず、コメント処理部１６ｃは、サムネイルグループがグループ解除された場合であっても、このサムネイルグループのグループコメントを変更（分割）しなくてもよい。この場合、かかるグループ解除されたサムネイルグループのグループコメントは、コメントボックス４３を用いて変更されてもよい。
【０１２１】
また、上述したコメント処理部１６ｃは、新規にグループコメントを作成する場合、この新規のグループコメントに対応するサムネイルグループに含まれる１以上のサムネイル画像または１以上のサムネイルグループの配列順序に沿ってサムネイルコメントまたはグループコメントを結合してもよいし、時系列順（例えばサムネイル画像の撮像時刻順）に沿ってサムネイルコメントまたはグループコメントを結合してもよい。
【０１２２】
以上、説明したように、本発明の実施の形態では、被検体の体内画像群の中から選択された複数の体内画像にそれぞれ対応する複数のサムネイル画像をグループ化するグループ化処理部と、かかるサムネイル画像のサムネイルコメントに関する各種処理を行うコメント処理部とを備え、コメント処理部が、これら複数のサムネイル画像に対してサムネイルコメントをそれぞれ付加し、グループ化処理部がこれら複数のサムネイル画像をグループ化したサムネイルグループを作成した場合、コメント処理部が、このサムネイルグループに含まれる複数のサムネイル画像の各サムネイルコメントを結合して、このサムネイルグループのグループコメントを作成するように構成した。このため、ユーザが入力部を操作してグループコメントをマニュアル入力しなくとも、サムネイルグループを作成する都度、サムネイルグループに含まれる複数のサムネイル画像の各コメントを活用して自動的にグループコメントを作成することができる。この結果、ユーザによるマニュアル操作の煩雑さを軽減できるとともに、サムネイルグループ毎にグループコメントを容易に作成できる画像表示装置を実現することができる。
【０１２３】
また、かかるコメント処理部は、グループコメントを形成する複数のサムネイルコメントの各コメント間に所定の区切り文字またはスペース（空白）を挿入して、これら複数のサムネイルコメントをサムネイル画像毎に区別可能な状態で結合している。このため、サムネイルグループのグループコメントを視認することによって、このサムネイルグループに含まれる複数のサムネイル画像の各サムネイルコメントを容易に区別することができる。
【０１２４】
さらに、グループ化処理部がサムネイルグループを解除した場合、コメント処理部は、この解除されたサムネイルグループのグループコメントをサムネイル画像毎またはサムネイルグループ毎に分割している。このため、この解除対象のサムネイルグループから分割（除外）された１以上のサムネイル画像または１以上のサムネイルグループの各コメント情報（サムネイルコメント、グループコメント）を容易に設定することができる。
【図面の簡単な説明】
【０１２５】
【図１】本発明の実施の形態にかかる画像表示装置を有する被検体内情報取得システムの一構成例を示す模式図である。
【図２】本発明の実施の形態にかかる画像表示装置の一構成例を模式的に示すブロック図である。
【図３】グループコメントを作成する際のコメント処理部の処理手順を例示するフローチャートである。
【図４】コメント処理部がグループコメントを作成する際に表示部に表示されるウィンドウの一例を示す模式図である。
【図５】複数のサムネイルコメントを結合してグループコメントを作成するコメント処理部の動作を説明するための模式図である。
【図６】複数のグループコメントを結合して新規にグループコメントを作成するコメント処理部の動作を説明するための模式図である。
【図７】グループ解除されたサムネイルグループのグループコメントを分割するコメント処理部の動作を説明するための模式図である。
【図８】被検体の体内画像群等を表示する際に表示部に表示されるウィンドウの一例を示す模式図である。
【図９】副画像表示部に表示された１以上のサムネイル画像に対して各種処理を実行する際に表示部に表示されるウィンドウの一例を示す模式図である。
【図１０】診断レポートに掲載する被検体の診断結果等の各種情報を入力する際に表示部に表示されるウィンドウの一例を示す模式図である。
【図１１】診断レポートに掲載するサムネイル画像およびサムネイルコメント等の各種情報を確認する際に表示部に表示されるウィンドウの一例を示す模式図である。
【図１２】被検体の診断レポートを表示するウィンドウの一例を示す模式図である。
【符号の説明】
【０１２６】
１  被検体
２  カプセル型内視鏡
３  受信装置
３ａ〜３ｈ  受信アンテナ
４  画像表示装置
５  携帯型記録媒体
１１  入力部
１２  表示部
１３  カードＩ／Ｆ
１４  出力部
１５  記憶部
１５ａ  症例データ群
１６  制御部
１６ａ  表示制御部
１６ｂ  グループ化処理部
１６ｃ  コメント処理部
１６ｄ  レポート処理部
４０，５０，６０，７０，８０  ウィンドウ
４１  第１サムネイル表示部
４１ａ  追加アイコン
４１ｂ  リムーブアイコン
４１ｃ  グループ追加アイコン
４２  第２サムネイル表示部
４２ａ  グループ化アイコン
４２ｂ  グループ解除アイコン
４２ｃ  順序変更アイコン
４３，６２  コメントボックス
４４，６３  辞書部
４４ａ，６３ａ  チェックボックス
４５，６１  マーカ付加部
４５ａ，４５ｂ，６１ａ，６１ｂ  マーカアイコン
４５ｃ，６１ｃ  取消アイコン
５１  主画像表示部
５１ａ  時間情報表示部
５１ｂ  アンテナ位置情報表示部
５１ｃ  表示設定アイコン
５２  表示操作アイコン群
５３  副画像表示部
５４ａ  タイムバー
５４ｂ  平均色バー
５４ｃ  出血バー
５４ｄ  スライダ
５５  フレームレート表示部
５６  登録有無表示部
５７  表示枚数設定部
５８  メニューバー
７１  インフォメーションページ
７２ａ  医師名設定部
７２ｂ  施設名設定部
７２ｃ  住所設定部
７２ｄ  電話番号設定部
７２ｅ  メールアドレス設定部
７３  情報表示領域
７４ａ，７４ｂ，７４ｃ，７４ｄ  テキストボックス
７５  サムネイル画像ページ
７６  レポートアイコン
８１〜８６  情報掲載欄
８７  戻りアイコン
８８  プリントアイコン
Ｃｏｍ１，Ｃｏｍ２，Ｃｏｍ３  コメント表示領域
Ｐ１，Ｐ２  体内画像
ＴＧ１〜ＴＧ４  サムネイルグループ
ＴＰ１〜ＴＰ８  サムネイル画像
【図１】
2008119146.tif 000003
【図２】
2008119146.tif 000004
【図３】
2008119146.tif 000005
【図４】
2008119146.tif 000006
【図５】
2008119146.tif 000007
【図６】
2008119146.tif 000008
【図７】
2008119146.tif 000009
【図８】
2008119146.tif 000010
【図９】
2008119146.tif 000011
【図１０】
2008119146.tif 000012
【図１１】
2008119146.tif 000013
【図１２】
2008119146.tif 000014